(57)【要約】      （修正有）【課題】コンテンツ再生装置において、操作部のスペース節約を図りつつ、ユーザがライブラリ管理及びフォルダ管理を能率的に切替えられるようにする。【解決手段】コンテンツ検索用光センサ手段５６は２個の光センサを装備する。第１のユーザ指示検出手段５７は、同一の検索系統内における項目選択用検索画面の切替に係る第１のユーザ指示を検出する。第２のユーザ指示検出手段５８は、ライブラリ管理又はフォルダ管理の所定の項目選択用検索画面へ切替える第２のユーザ指示を検出する。操作態様検出手段５９は、ユーザがコンテンツ検索用光センサ手段５６のどちらの光センサをタッチしたかを検出する。ユーザ指示実行手段６０は、一方及び他方の光センサがタッチされたならば、それぞれ第１及び第２のユーザ指示を実行する。【選択図】図１２
2007115012.tif 000002
【特許請求の範囲】
【請求項１】
複数の操作態様による操作が可能となっているコンテンツ検索用光センサ手段、
コンテンツを検索するための複数の検索系統及び各検索系統の検索階層が定義され、同一の検索系統内における検索階層間の項目選択用検索画面の切替に係るユーザ指示として前記コンテンツ検索用光センサ手段に割り当てられている第１のユーザ指示を検出する第１のユーザ指示検出手段、
切替前の項目選択用検索画面の検索系統と異なる検索系統の所定の項目選択用検索画面へ切替えるユーザ指示として前記コンテンツ検索用光センサ手段に割り当てられている第２のユーザ指示を検出する第２のユーザ指示検出手段、
前記コンテンツ検索用光センサ手段に対する操作の操作態様を検出する操作態様検出手段、及び
前記コンテンツ検索用光センサ手段に対する操作が第１及び第２の操作態様であればそれぞれ第１及び第２のユーザ指示を実行するユーザ指示実行手段、
を有していることを特徴とするコンテンツ再生装置。
【請求項２】
前記コンテンツ検索用光センサ手段に割り当てられている第２のユーザ指示がフォルダ管理の項目選択用検索画面への切替に関するものである場合に、前記コンテンツ検索用光センサ手段に対する第２の操作態様の操作直前の項目選択用検索画面がライブラリ管理の項目選択用検索画面であるときには、該第２のユーザ指示は、ライブラリ管理の項目選択用検索画面において選択されていた項目に属するフォルダ若しくはフォルダのファイルを選択する項目選択用検索画面へ切替えるユーザ指示として検出する前記第２のユーザ指示検出手段、
を有していることを特徴とする請求項１記載のコンテンツ再生装置。
【請求項３】
複数の操作態様による操作が可能となっているコンテンツ検索用光センサ手段、
コンテンツを検索するための複数の検索系統及び各検索系統の検索階層が定義され、同一の検索系統内における検索階層間の項目選択用検索画面の切替に係るユーザ指示として前記コンテンツ検索用光センサ手段に割り当てられている第１のユーザ指示を検出する第１のユーザ指示検出手段、
前記コンテンツ検索用光センサ手段に割り当てられているユーザ指示であって該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替える第３のユーザ指示を検出する第３のユーザ指示検出手段、及び
前記コンテンツ検索用光センサ手段に対する操作が第１及び第２の操作態様であればそれぞれ第１及び第３のユーザ指示を実行するユーザ指示実行手段、
を有していることを特徴とするコンテンツ再生装置。
【請求項４】
前記コンテンツ検索用光センサ手段とは異なる他のコンテンツ検索用光センサ手段、
前記他のコンテンツ検索用光センサ手段に割り当てられているユーザ指示であって前記順番とは逆の順番に従い前記一群内の各項目選択用検索画面へ切替える第４のユーザ指示を検出する第４のユーザ指示検出手段、
前記他のコンテンツ検索用光センサ手段に対する操作の操作態様を検出する前記操作態様検出手段、及び
前記他のコンテンツ検索用光センサ手段に対するユーザ指示が第２の操作態様であれば第４のユーザ指示を実行する前記ユーザ指示実行手段、
を有していることを特徴とする請求項３記載のコンテンツ再生装置。
【請求項５】
各コンテンツ検索用光センサ手段は、他の光センサ手段の光センサのセンサ群と相互に区別できるセンサ群の光センサから構成されていることを特徴とする請求項１〜４記載のコンテンツ再生装置。
【請求項６】
前記操作態様とは、コンテンツ検索用光センサ手段の近傍において指を所定速度以上で移動させること、コンテンツ検索用光センサ手段の近傍において指を第１の方向へ所定速度以上で移動させること、コンテンツ検索用光センサ手段の近傍において指を第１の方向とは異なる第２の方向へ所定速度以上で移動させること、コンテンツ検索用光センサ手段のタッチにおいてそのタッチ時間を所定時間以上とさせること、コンテンツ検索用光センサ手段のタッチにおいてそのタッチ時間を所定時間未満とすること、又はコンテンツ検索用光センサ手段を構成するセンサ群の光センサの中の特定の１個を選択してタッチすることであることを特徴とする請求項１〜５のいずれかに記載のコンテンツ再生装置。
【請求項７】
複数の検索系統には、ライブラリ管理の検索系統及びフォルダ管理の検索系統が含まれることを特徴とする請求項１〜６のいずれかに記載のコンテンツ再生装置。
【請求項８】
複数の操作態様による操作が可能となっているコンテンツ検索用光センサ手段を装備するコンテンツ再生装置の制御方法であって、
前記コンテンツ検索用光センサ手段に対する操作の操作態様を検出するステップ、
前記コンテンツ検索用光センサ手段に対する操作が第１の操作態様であれば、同一の検索系統内における検索階層間の項目選択用検索画面の切替に係るユーザ指示として前記コンテンツ検索用光センサ手段に割り当てられている第１のユーザ指示を実行するステップ、及び
前記コンテンツ検索用光センサ手段に対する操作が第２の操作態様であれば、切替前の項目選択用検索画面の検索系統と異なる検索系統の所定の項目選択用検索画面へ切替えるユーザ指示として前記コンテンツ検索用光センサ手段に割り当てられている第２のユーザ指示を実行するステップ、
を有していることを特徴とするコンテンツ再生装置用制御方法。
【請求項９】
複数の操作態様による操作が可能となっているコンテンツ検索用光センサ手段を装備するコンテンツ再生装置において、
前記コンテンツ検索用光センサ手段に対する操作の操作態様を検出するステップ、
前記コンテンツ検索用光センサ手段に対する操作が第１の操作態様であれば、同一の検索系統内における検索階層間の項目選択用検索画面の切替に係るユーザ指示として前記コンテンツ検索用光センサ手段に割り当てられている第１のユーザ指示を実行するステップ、及び
前記コンテンツ検索用光センサ手段に対する操作が第２の操作態様であれば、前記コンテンツ検索用光センサ手段に割り当てられているユーザ指示であって該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替える第３のユーザ指示を実行するステップ、
を有していることを特徴とするコンテンツ再生装置用制御方法。
【請求項１０】
請求項１〜７のいずれかに記載のコンテンツ再生装置の各手段としてコンピュータを機能させるためのプログラム。
【請求項１１】
複数の指示入力が可能な光センサ手段と、
少なくともアーティスト名若しくはアルバム名の検索項目から再生する楽曲を検索するライブラリ検索モードと、少なくとも、楽曲を１若しくは複数毎にまとめた下位フォルダと、前記下位フォルダを１若しくは複数毎にまとめた上位フォルダとから、再生する楽曲を検索するフォルダ検索モードと、を制御する制御手段と、
前記ライブラリ検索モードと、前記フォルダ検索モードで検索された検索項目、フォルダ若しくは楽曲を表示する表示手段と、
ライブラリ検索モードで検索項目若しくは楽曲を前記表示手段に表示中、前記光センサ手段への入力で前記フォルダ検索モードへの切替が指示されたとき、現在表示され選択された状態にある検索項目若しくは楽曲の属する上位のフォルダを、ユーザの指示により若しくは自動で表示する検索モード切替制御手段と、
を備えることを特徴とする楽曲検索装置。
【発明の詳細な説明】
【技術分野】
【０００１】
本発明は、ハードディスク内蔵型ポータブル音楽再生装置等のコンテンツ再生装置、制御方法、楽曲検索装置及びプログラムに関するものである。
【背景技術】
【０００２】
ハードディスク内蔵型ポータブル音楽再生装置は、楽曲を、ＭＰ３（MPEG1 Audio Layer3)やＷＭＡ（Windows Media Audio）のような圧縮ファイルで保存している。ハードディスク内蔵型ポータブル音楽再生装置は、前面に例えばタクトスイッチを用いたプッシュ式キーを複数、装備している。ユーザは、ハードディスク内蔵型ポータブル音楽再生装置のプッシュ式キーを操作して、所望の楽曲を表示器に表示させて、それを選択し、ハードディスク内蔵型ポータブル音楽再生装置は、ユーザが選択した楽曲に係るファイルをハードディスク装置から読み出して、再生するようになっている。
【０００３】
ユーザに、所望の楽曲を選択させる検索系統として「ライブラリ管理」及び「フォルダ管理」を定義する。ライブラリ管理とは、音楽ファイルに付随するタグ情報を基にする検索系統である。タグ情報とは、その音楽ファイルのアーティスト名やアルバム名、ジャンル名等を指す（例：後述の図７）。ライブラリ管理では、そのトップ画面（最上位階層）においてタグ項目である”アーティスト”、”アルバム”、”ジャンル”が上下方向の配列リストで表示されている（例：後述の図８（ａ））。
【０００４】
ユーザは、例えば中央のプッシュ式キーに対して上側又は下側のプッシュ式キーを押下して、現在選択中であることを示す項目（例：ハイライト表示の項目）を上方向又は下方向へ１個ずつ移動させる。そして、中央のプッシュ式キーが押下されると、画面はハイライト項目の下の階層の項目選択用検索画面へ切替わるようになっている（例：図８（ａ）→図８（ｂ））。
【０００５】
ライブラリ管理では、ユーザは、トップ階層の項目選択用検索画面（例：後述の図８（ａ））に切替えてから、アーティストを検索したいときは、”アーティスト”を、アルバムを検索したいときは”アルバム”を、また、ジャンルを検索したいときは”ジャンル”を、それぞれトップ画面においてハイライトさせておき、中央のプッシュ式キーを押下すると、それぞれアーティスト一覧（例：後述の図８（ｂ））、アルバム一覧（例：後述の図８（ｃ））、ジャンル一覧（例：後述の図８（ｄ））の項目選択用検索画面になる。なお、ユーザが、楽曲名一覧の項目選択用検索画面（例：後述の図８（ｅ））において、所定の楽曲名を選択して、中央のプッシュ式キーを押下すると、該楽曲名の楽曲の再生が開始される。
【０００６】
フォルダ管理とは、ハードディスクに記録されたフォルダ名やファイル名を基にする検索系統である。フォルダ管理のトップ検索階層の項目選択用検索画面（例：後述の図９（ａ））では、ルート直下の階層のフォルダ名が上下方向の配列リストで表示される。フォルダ管理におけるプッシュ式キーの操作はライブラリ管理の場合と同様であり、上側又は下側のプッシュ式キーを押下して、ハイライトを上又は下へ１個ずつ移動させ、中央のプッシュ式キーを押下すると、押下前にハイライトされている項目の下の階層の項目選択用検索画面へ切替わる。ただし、ハイライトされている項目がファイルの場合（例：後述の図９（ｃ））、中央のプッシュ式キーが押下されると、該ファイルの再生が開始される。
【０００７】
従来のハードディスク内蔵型ポータブル音楽再生装置におけるライブラリ管理とフォルダ管理を切替える典型的な方式について述べる。
【０００８】
第１の切替方式では、ライブラリ管理のトップ画面の項目に”フォルダ”を追加し、それをライブラリ管理及びフォルダ管理の共通のトップ画面とする。そして、フォルダ名やファイル名のフォルダ管理により検索したい場合は、共通のトップ画面から”フォルダ”を選択して、下位階層の項目選択用検索画面へ切替える。また、タグ項目のライブラリ管理により検索したい場合には、共通のトップ画面から”アーティスト”、”アルバム”、”ジャンル”のどれか１個を選択して、対応の下位階層の項目選択用検索画面へ切替える。
【０００９】
第２の切替方式では、ハードディスク内蔵型ポータブル音楽再生装置にライブラリ管理とフォルダ管理を切替えるプッシュ式キーを追加する。そして、該プッシュ式キーを押下すると、押下直前の項目選択用検索画面がライブラリ管理のものであれば、フォルダ管理の項目選択用検索画面へ即座に切替わり、また、押下直前の項目選択用検索画面がフォルダ管理のものであれば、ライブラリ管理の項目選択用検索画面へ即座に切替わる。
【００１０】
特許文献１は、情報選択機器において、階層化されたフォルダ情報を、インジケータ表示することを開示する（特許文献１の図３の特に（Ｂ））。そして、ユーザは、タッチパネル画面において、該画面に表示中の複数階層のフォルダの中から、１個を選択してタッチすることにより、所望の階層のフォルダへ一気に移動できるようになっている（特許文献１の段落００６４及び００６５）。
【特許文献１】特開２００３−８４８７７号公報
【発明の開示】
【発明が解決しようとする課題】
【００１１】
第１の切替方式では、共通のトップ画面においてライブラリ管理からフォルダ管理へ切替えるようになっているので、現在の表示画面の階層が深い場合には、トップ画面に戻るまでの操作が煩雑化する。
【００１２】
第２の切替方式では、プッシュ式キーの追加が必要となるとともに、わざわざ指を該プッシュ式キーまで移動させてから、押下するので、操作能率が悪い。
【００１３】
特許文献１における階層移動は、タッチパネル画面の使用を必須としており、一般的な操作部材に適用することは困難である。
【００１４】
本発明の目的は、操作部の配置スペースを節約しつつ、ユーザが複数の検索系統を能率的に切替えることができるコンテンツ再生装置、制御方法、楽曲検索装置及びプログラムを提供することである。
【課題を解決するための手段】
【００１５】
本発明のコンテンツ再生装置は次のものを有している。
複数の操作態様による操作が可能となっているコンテンツ検索用光センサ手段、
コンテンツを検索するための複数の検索系統及び各検索系統の検索階層が定義され、同一の検索系統内における検索階層間の項目選択用検索画面の切替に係るユーザ指示としてコンテンツ検索用光センサ手段に割り当てられている第１のユーザ指示を検出する第１のユーザ指示検出手段、
切替前の項目選択用検索画面の検索系統と異なる検索系統の所定の項目選択用検索画面へ切替えるユーザ指示としてコンテンツ検索用光センサ手段に割り当てられている第２のユーザ指示を検出する第２のユーザ指示検出手段、
コンテンツ検索用光センサ手段に対する操作の操作態様を検出する操作態様検出手段、及び
コンテンツ検索用光センサ手段に対する操作が第１及び第２の操作態様であればそれぞれ第１及び第２のユーザ指示を実行するユーザ指示実行手段。
【００１６】
本発明の他のコンテンツ再生装置は次のものを有している。
複数の操作態様による操作が可能となっているコンテンツ検索用光センサ手段、
コンテンツを検索するための複数の検索系統及び各検索系統の検索階層が定義され、同一の検索系統内における検索階層間の項目選択用検索画面の切替に係るユーザ指示としてコンテンツ検索用光センサ手段に割り当てられている第１のユーザ指示を検出する第１のユーザ指示検出手段、
コンテンツ検索用光センサ手段に割り当てられているユーザ指示であって該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替える第３のユーザ指示を検出する第３のユーザ指示検出手段、及び
コンテンツ検索用光センサ手段に対する操作が第１及び第２の操作態様であればそれぞれ第１及び第３のユーザ指示を実行するユーザ指示実行手段。
【００１７】
本発明の制御方法が適用されるコンテンツ再生装置は、複数の操作態様による操作が可能となっているコンテンツ検索用光センサ手段を装備する。該制御方法は次のステップを有している。
コンテンツ検索用光センサ手段に対する操作の操作態様を検出するステップ、
コンテンツ検索用光センサ手段に対する操作が第１の操作態様であれば、同一の検索系統内における検索階層間の項目選択用検索画面の切替に係るユーザ指示としてコンテンツ検索用光センサ手段に割り当てられている第１のユーザ指示を実行するステップ、及び
コンテンツ検索用光センサ手段に対する操作が第２の操作態様であれば、切替前の項目選択用検索画面の検索系統と異なる検索系統の所定の項目選択用検索画面へ切替えるユーザ指示としてコンテンツ検索用光センサ手段に割り当てられている第２のユーザ指示を実行するステップ。
【００１８】
本発明の他の制御方法が適用されるコンテンツ再生装置は、複数の操作態様による操作が可能となっているコンテンツ検索用光センサ手段を装備する。該別の制御方法は次のステップを有している。
コンテンツ検索用光センサ手段に対する操作の操作態様を検出するステップ、
コンテンツ検索用光センサ手段に対する操作が第１の操作態様であれば、同一の検索系統内における検索階層間の項目選択用検索画面の切替に係るユーザ指示としてコンテンツ検索用光センサ手段に割り当てられている第１のユーザ指示を実行するステップ、及び
コンテンツ検索用光センサ手段に対する操作が第２の操作態様であれば、コンテンツ検索用光センサ手段に割り当てられているユーザ指示であって該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替える第３のユーザ指示を実行するステップ。
【００１９】
本発明のプログラムは、前述の各コンテンツ再生装置の各手段としてコンピュータを機能させる。
【００２０】
本発明の楽曲検索装置は次のものを備えている。
複数の指示入力が可能な光センサ手段、
少なくともアーティスト名若しくはアルバム名の検索項目から再生する楽曲を検索するライブラリ検索モードと、少なくとも、楽曲を１若しくは複数毎にまとめた下位フォルダと、下位フォルダを１若しくは複数毎にまとめた上位フォルダとから、再生する楽曲を検索するフォルダ検索モードと、を制御する制御手段、
ライブラリ検索モードと、フォルダ検索モードで検索された検索項目、フォルダ若しくは楽曲を表示する表示手段、及び
ライブラリ検索モードで検索項目若しくは楽曲を表示手段に表示中、光センサ手段への入力でフォルダ検索モードへの切替が指示されたとき、現在表示され選択された状態にある検索項目若しくは楽曲の属する上位のフォルダを、ユーザの指示により若しくは自動で表示する検索モード切替制御手段。
【発明の効果】
【００２１】
本発明によれば、検索系統間の項目選択用検索画面切替を迅速に行うことができる。また、操作部としてのコンテンツ検索用光センサ手段の配置スペースが節約される。
【発明を実施するための最良の形態】
【００２２】
図１はハードディスク内蔵型ポータブル音楽再生装置１０の前面図である。ハードディスク内蔵型ポータブル音楽再生装置１０は、前面において、カラーＬＣＤ１１と、光キー配列部１２とを有している。光キー配列部１２は、中央光キー１４と、中央光キー１４の上側に配備される上側光キー１６と、中央光キー１４の右側に配備されている右側光キー１７と、中央光キー１４の下側に配備されている下側光キー１８と、中央光キー１４の左側に配備されている左側光キー１９とを有している。ヘッドホン２４は、ユーザの左右の耳に装填される左右の装填部２５ａ，２５ｂと、一端側においてハードディスク内蔵型ポータブル音楽再生装置１０の本体の上部のジャックに挿抜自在に挿入され、他端側において分岐して装填部２５ａ，２５ｂに接続されるオーディオ信号線２６とを有している。
【００２３】
図２はハードディスク内蔵型ポータブル音楽再生装置１０の概略構成図である。ハードディスク内蔵型ポータブル音楽再生装置１０は、制御部３０、表示部３１、入力部３２、出力部３３及びハードディスク３４を有している。表示部３１はカラーＬＣＤ１１に対応し、入力部３２は光キー配列部１２に対応し、出力部３３はヘッドホン２４に対応する。ハードディスク３４は、ハードディスク内蔵型ポータブル音楽再生装置１０に内蔵され、十分な記憶容量を備え、ＭＰ３やＷＭＡの楽曲ファイルが、著作権管理のために暗号化したフォーマットのファイルへと変換されて、格納されている。なお、本明細書で楽曲とは、単に、音楽だけでなく、語学学習、講習及び落語等のすべてのオーディオのオブジェクトを包含するものとする。
【００２４】
制御部３０は、入力部３２からユーザ指示を受付け、ユーザ指示に基づき表示部３１の表示やハードディスク３４のファイルデータの読出しを制御するとともに、ユーザ指示に対応する楽曲を出力部３３へ出力する。
【００２５】
図３は単一の光センサ３９を装備する光センサ手段３８の構成図である。（ａ）は光センサ３９の発光側から見た図、（ｂ）は（ａ）に対して垂直方向から見た断面図である。図１の中央光キー１４には光センサ手段３８が採用されている。光センサ手段３８は、光学式マウスを上下反転させた構造とほぼ同一となっている。光学式マウスでは、光センサ３９の発光側が机側、すなわちユーザとは反対側へ向けられるが、光センサ手段３８では、光センサ３９の発光側はユーザの方へ向けられる。
【００２６】
光センサ手段３８は、光センサ３９と、光センサ３９を、その発光面側を露出させつつ収容する枠部４０とを有している。光センサ手段３８及び後述の光センサ手段４５（図４）がハードディスク内蔵型ポータブル音楽再生装置１０の光キーとして配備された場合には、枠部４０，４８の外周側輪郭線がユーザにより１個のキーの輪郭線のように認識され。これにより、ユーザには、光センサ３９，４６（図４），４７（図４）がどの光キーに属するものかが明瞭になる。
【００２７】
所定量の光が、光センサ３９の発光素子から放射されているときに、ユーザが、自分の例えば人差し指を光センサ３９にタッチさせると、指に当たって反射して来た光が受光として光センサ３９に検知される。これに対して、ユーザが指を光センサ３９にタッチしていない期間では、受光がなく、光センサ３９は受光を検知しない。したがって、光センサ３９における受光の検知の有無により、ユーザが光センサ３９に指でタッチしたか否かを検出できる。
【００２８】
光センサ手段３８の光センサ３９は、それに対してユーザが指でタッチする操作態様を検出できるのはもちろんであるが、単一の光センサ３９にもかかわらず、それに対するユーザの複数個の操作態様を割当てて、各操作態様を検出することができる。つまり、光センサ手段３８で行う検出は周知の光学式マウスの検出原理を採用したものである。周知の光学式マウスでは、ユーザが該マウスを机上で移動させることにより、移動速度が所定値以上であること、移動方向が第１の方向であること、移動方向が第１の移動方向とは別の第２の移動方向であること等、種々の操作態様を検出する。周知の光学式マウスが、光放射側を机側へ向けて、マウスを机に対して動かすのに対し、光センサ手段３８は、周知の光学式マウスを上下反転した構造とされるとともに、移動側が、光センサ手段３８ではなく、ユーザの指となって、指を光センサ手段３８の光放射側で動かすことにより、単一の光センサ３９から複数個の操作態様が検出可能になる。
【００２９】
単一の光センサ３９についての複数の操作態様とは、具体的には、光センサ手段３８の近傍において指を所定速度以上で移動させること、光センサ手段３８の近傍において指を第１の方向へ所定速度以上で移動させること、光センサ手段３８の近傍において指を第１の方向とは異なる第２の方向へ所定速度以上で移動させること等である。光センサ手段３８が検出する操作態様をそれらの内から２個、選択すれば、光センサ手段３８をハードディスク内蔵型ポータブル音楽再生装置１０の上側光キー１６、右側光キー１７と、下側光キー１８及び左側光キー１９としても採用可能になる。例えば、ユーザが指を光センサ手段３８に対して第１及び第２の方向へ移動させる操作態様を、後述のコンテンツ検索用光センサ手段５６（図１２）等における第１及び第２の操作態様として割当てることができる。
【００３０】
図４は２個の光センサ４６，４７を装備する光センサ手段４５の構成図である。（ａ）は光センサ４６，４７の発光側から光センサ手段４５を見た図、（ｂ）は（ａ）に対して垂直方向から光センサ手段４５を見た断面図である。図１の上側光キー１６及び下側光キー１８は光センサ手段４５から成る。光センサ手段３８の光センサ３９と同様に、光センサ４６，４７は、発光側をユーザの方へ向けている。
【００３１】
光センサ手段４５は、相互に近接して配置された光センサ４６，４７と、光センサ４６，４７を内側に囲うように収容する枠部４８とを有している。光センサ手段４５が、ハードディスク内蔵型ポータブル音楽再生装置１０の前面に配備された場合には、枠部４８の外周側輪郭線がユーザにより１個のキーの輪郭線のように認識される。
【００３２】
ユーザは、光センサ手段４５に対する操作に関して、光センサ４６，４７のいずれかをタッチする。すなわち、ユーザは、光センサ手段４５に対して、光センサ４６をタッチする操作態様と、光センサ４７をタッチする操作態様との計２個の操作態様で操作可能になっている。
【００３３】
以降、説明の便宜上、上側光キー１６、右側光キー１７と、下側光キー１８及び左側光キー１９として採用された光センサ手段４５では、中央光キー１４に近い方が光センサ４６とされ、中央光キー１４から遠い方が光センサ４７とされるものとする。逆の選択も可能である。
【００３４】
図５は各光キーの各光センサとそれらに対して割り当てたユーザ指示との関係を示している。各光キーの内側光センサへのタッチに対しては、従来のハードディスク内蔵型ポータブル音楽再生装置におけるプッシュ式キーの押下時のものと同一のユーザ指示を割り当てている。各光キーの外側光センサへのタッチのときのユーザ指示が、従来のハードディスク内蔵型ポータブル音楽再生装置におけるプッシュ式キーに割り当てられたユーザ指示に対して追加されている。これら追加されたユーザ指示についての詳細は後述する。
【００３５】
なお、説明では、各光キーの内側光センサへのタッチに対しては、従来のハードディスク内蔵型ポータブル音楽再生装置におけるプッシュ式キーの押下時のものと同一のユーザ指示を割り当て、また、各光キーの外側光センサへのタッチに対しては、検索系統間の項目選択用検索画面切替（ライブラリ管理−フォルダ管理間の項目選択用検索画面切替）となっているが、逆に設定してもよい。すなわち、各光キーの外側光センサへのタッチに対しては、従来のハードディスク内蔵型ポータブル音楽再生装置におけるプッシュ式キーの押下時のものと同一のユーザ指示を割り当て、また、各光キーの内側光センサへのタッチに対しては、検索系統間の項目選択用検索画面切替（ライブラリ管理−フォルダ管理間の項目選択用検索画面切替）としてもよい。
【００３６】
図６はハードディスク内蔵型ポータブル音楽再生装置１０のＨＤＤにおける楽曲ファイルの管理構造を例示している。ユーザは、フォルダ１〜９に対して、例えば、ジャンル名、アーティスト名、アルバム名等の具体的な名前を付けることができる。同様に、ファイル１〜１３にも、例えば、楽曲名等の具体的な名前を付けることができる。ファイル１〜１３が、ＭＰ３やＷＭＡ等のオーディオファイルに対応する。
【００３７】
フォルダ管理は図６の管理構造が基となっており、図６の管理構造は階層化された木（ツリー）構造となっている。第１階層はルート直下の階層であり、ルートの方から深い方へ順番に、第１、第２及び第３階層となっている。フォルダは木構造のノードに位置し、ファイルは木構造のリーフに位置する。
【００３８】
図７は各ファイルについてのタグ情報を例示している。タグには、例えば、アーティスト名、アルバム名、トラック名及びジャンルが存在する。トラック名は楽曲名とも呼ばれる。各ファイルは、オーディオデータを格納するデータ領域の他に、ヘッダ領域を備え、タグ情報はヘッダ領域に書き込まれている。
【００３９】
図８はライブラリ管理における各項目選択用検索画面を例示している。（ａ）の項目選択用検索画面はトップ画面（第１階層）の例であり、（ｂ）の項目選択用検索画面はアーティスト名の選択画面（第２階層）、（ｃ）の項目選択用検索画面はアルバム名の選択画面（第２階層）、（ｄ）の項目選択用検索画面はジャンル名の選択画面（第２階層）、（ｅ）の項目選択用検索画面はトラック名（楽曲名）の選択画面（第３階層）である。
【００４０】
図８及び後述の図９において、長方形枠で囲まれている項目は、現在選択されている項目を示し、実際には例えば項目名がハイライト表示となっている。ユーザが下側光キー１８の内側光センサ４６をタッチするごとに、ハイライト表示される項目は１個ずつ下へ移動する。また、ユーザが上側光キー１６の内側光センサ４６をタッチするごとに、ハイライト表示される項目は１個ずつ上へ移動する。
【００４１】
ハイライト表示の移動をサイクリック移動方式にすることもできる。すなわち、リスト（一覧）の最下行の項目名をハイライト表示している状態において、通常の移動方式では、ユーザが下側光キー１８の内側光センサ４６をさらにタッチしても、ハイライト表示の項目は最下行の項目に止まっているが、サイクリックの移動方式では、ユーザが下側光キー１８の内側光センサ４６をさらにタッチすると、ハイライト表示の項目は最上行の項目へ移動する。同様に、リストの最上行の項目名をハイライト表示している状態において、通常の移動方式では、ユーザが上側光キー１６の内側光センサ４６をさらにタッチしても、ハイライト表示の項目は最上行の項目に止まっているが、サイクリックの移動方式では、ユーザが上側光キー１６の内側光センサ４６をさらにタッチすると、ハイライト表示の項目は最下行の項目へ移動する。
【００４２】
カラーＬＣＤ１１に図８の（ａ）のトップ画面を表示させて、アーティストをハイライト表示させてから、ユーザが中央光キー１４の内側光センサ４６をタッチすると、（ｂ）の画面へ切替わる。同様に、カラーＬＣＤ１１に図８の（ａ）のトップ画面を表示させて、アルバム及びジャンルをそれぞれハイライト表示させてから、ユーザが中央光キー１４の内側光センサ４６をタッチすると、それぞれ（ｃ）及び（ｄ）の画面へ切替わる。ユーザは、図８の（ｂ），（ｃ）又は（ｄ）の画面で所定の項目をハイライト表示させてから、中央光キー１４の内側光センサ４６をタッチすると、該タッチ前の選択項目に属する楽曲の名前を表示する（ｅ）の画面へ切替わる。
【００４３】
図８（ｂ）〜（ｄ）の画面は、内側光キー４６のタッチの他に、図５に説明されているように、所定の外側光センサのタッチによっても一気に切替えることができる。すなわち、カラーＬＣＤ１１に表示されている画面が何であっても、上側光キー１６の外側光センサ４７をタッチすると、（ｂ）の画面へ切替わり、下側光キー１８の外側光センサ４７をタッチすると、（ｃ）の画面へ切替わり、左側光キー１９の外側光センサ４７をタッチすると、（ｄ）の画面へ切替わる。
【００４４】
図９はフォルダ管理における各項目選択用検索画面を例示している。（ａ）の項目選択用検索画面はトップ画面（第１階層）の例であり、（ｂ）の項目選択用検索画面はフォルダ１の子階層（第２階層）としての項目選択用検索画面であり、（ｃ）の項目選択用検索画面はフォルダ４の子階層（第３階層）としての項目選択用検索画面である。
【００４５】
カラーＬＣＤ１１に図９の（ａ）のトップ画面を表示させて、フォルダ１をハイライト表示させてから、ユーザが中央光キー１４の内側光センサ４６をタッチすると、（ｂ）の画面へ切替わる。同様に、カラーＬＣＤ１１に図９の（ｂ）の画面を表示させて、フォルダ４をハイライト表示させてから、ユーザが中央光キー１４の内側光センサ４６をタッチすると、（ｃ）の画面へ切替わる。
【００４６】
図１０はカラーＬＣＤ１１における各項目選択用検索画面と各項目選択用検索画面へ各外側光センサ４７のタッチにより切替える光キーとの関係を示している。図１０の関係は、前述の図５における外側光センサ４７のタッチとユーザ指示との関係に一致している。
【００４７】
図１０において、それぞれ上端、下端及び左端に配置されている項目選択用検索画面は、それぞれ図８の（ｂ）、（ｃ）及び（ｄ）に対応している。カラーＬＣＤ１１の任意の項目選択用検索画面において、ユーザが上側光キー１６の外側光センサ４７をタッチすると、図１０の上端の項目選択用検索画面へ切替わる。カラーＬＣＤ１１の任意の項目選択用検索画面において、ユーザが下側光キー１８の外側光センサ４７をタッチすると、図１０の下端の項目選択用検索画面へ切替わる。カラーＬＣＤ１１の任意の項目選択用検索画面において、ユーザが左側光キー１９の外側光センサ４７をタッチすると、図１０の左端の項目選択用検索画面へ切替わる。
【００４８】
図１０の上端、下端又は左端の項目選択用検索画面がカラーＬＣＤ１１に表示されている状態において、ユーザが右側光キー１７の外側光センサ４７をタッチすると、フォルダ管理の項目選択用検索画面としてのファイル名リストの項目選択用検索画面へ切替わる。その場合、ファイル名リストは、切替前の項目選択用検索画面においてハイライト表示しておいた項目に属するフォルダ若しくはフォルダのファイルの名前のリストとなる。例えば、図１０の上端のアーティスト名リストの項目選択用検索画面において、アーティスト２がハイライト表示されている状態において、ユーザが右側光キー１７の外側光センサ４７をタッチして、フォルダ管理のファイル名リストの項目選択用検索画面が出現した場合には、該項目選択用検索画面におけるファイル６，７，８は、アーティスト２の楽曲に対応するファイルとなっている。
【００４９】
右側光キー１７の外側光センサ４７をタッチした場合に、図１０の右端の項目選択用検索画面を表示する代わりに、フォルダ管理の第１階層の項目選択用検索画面（例：図９（ａ））、第２階層の任意又は所定の項目選択用検索画面（例：図９（ｂ）。第３階層の任意又は所定の項目選択用検索画面（例：図９（ｃ））を表示することにより、ライブラリ管理からフォルダ管理へ一気に切替えるようにすることもできる。
【００５０】
また、他の制御方法として、右側光キー１７の外側光センサ４７をタッチした場合に、ファイル名表示を直接行うのではなく、選択されていた項目に対応するフォルダを表示するようにしてもよい。例えば、図１０下端のアルバム名表示を行っているときに、フォルダ管理に切替えられた場合、選択されていたアルバムが属するフォルダ（通常は共通するアーティストで形成されたフォルダが相当する）を表示するようにしてもよい。
【００５１】
具体例として、ライブラリ検索のアルバム検索を利用してファイルを再生中、ユーザはこのアルバムのアーティストの他のアルバムの曲を聴きたくなったとき、フォルダ管理に切替えると、一つ上の層に上がると今再生している曲のアルバムの全曲が表示され、更に上に上がるとこの曲のアーティストのアルバムのリストが表示される。これにより、一度最上位層まで戻らなくても、今の曲に関係するフォルダを簡単に表示することができる。さらに、プレイリストから曲を再生中フォルダ管理に切替えると、再生中の曲のアルバムの全曲が表示される（再生中の曲情報しか表示していない場合には、１階層上に上がると表示される）ようにしてもよい。
【００５２】
別の具体例では、ライブラリ検索のアルバム検索を利用してアルバムを表示中、見つけたアルバムのアーティストの他のアルバムを探したいと、ユーザが考えたとき、フォルダ管理にすると、選択されているアルバムに対応するアーティストのアルバムが表示される。これにより、一度最上位層まで戻らなくても、今の曲に関係するフォルダを簡単に表示することができる。
【００５３】
同様に、フォルダ管理でファイルが表示されているとき、ライブラリ管理へ切替える指示がなされた場合、選択されていたファイルに対応するジャンル、アーティスト又はアルバムの表示に切替えるようにしてもよい。
【００５４】
図１１はライブラリ管理及びフォルダ管理の各項目選択用検索画面をサイクリックに切替える説明図である。図１１の上段の左右の項目選択用検索画面はそれぞれ図８（ｂ）及び図８（ｃ）に対応している。図１１の下段の左右項目選択用検索画面はそれぞれ図８（ｄ）及び図９（ｃ）に対応している。
【００５５】
図１１の切替方式では、右側光キー１７又は下側光キー１８の外側光センサ４７をタッチするごとに、図１１の各項目選択用検索画面を時計方向の順番で切替え、また、上側光キー１６又は左側光キー１９の外側光センサ４７をタッチするごとに、図１１の各項目選択用検索画面を反時計方向の順番で切替えるようにする。なお、最初の光センサ４７のタッチに対して出現させる項目選択用検索画面は、図１１のどの項目選択用検索画面であってもよい。また、項目選択用検索画面の並び順は、図１１のものに限定されず、任意に設定できる。
【００５６】
図１２はコンテンツ再生装置５５のブロック図である。なお、コンテンツ再生装置５５及び後述のコンテンツ再生装置６６（図１３）において、共通する構成については、コンテンツ再生装置５５において、適宜、まとめて説明する。
【００５７】
コンテンツ再生装置５５は、コンテンツ検索用光センサ手段５６、第１のユーザ指示検出手段５７、第２のユーザ指示検出手段５８、操作態様検出手段５９及びユーザ指示実行手段６０を有している。コンテンツ再生装置５５，６６の一例はハードディスク内蔵型ポータブル音楽再生装置１０（図１）である。コンテンツ再生装置５５，６６は、オーディオ以外のビデオ等のコンテンツを再生するものであってもよい。コンテンツ再生装置５５，６６は、また、携帯型に限定されない。コンテンツ再生装置５５，６６においてコンテンツを記録する記憶装置は、ＨＤＤに限定されず、フラッシュメモリであってもよい。
【００５８】
コンテンツ検索用光センサ手段５６は、複数の操作態様による操作が可能となっている。コンテンツを検索するための複数の検索系統及び各検索系統の検索階層を定義する。第１のユーザ指示検出手段５７は、同一の検索系統内における検索階層間の項目選択用検索画面の切替に係るユーザ指示としてコンテンツ検索用光センサ手段５６に割り当てられている第１のユーザ指示を検出する。第２のユーザ指示検出手段５８は、切替前の項目選択用検索画面の検索系統と異なる検索系統の所定の項目選択用検索画面へ切替えるユーザ指示としてコンテンツ検索用光センサ手段５６に割り当てられている第２のユーザ指示を検出する。
【００５９】
操作態様検出手段５９は、コンテンツ検索用光センサ手段５６に対する操作の操作態様を検出する。ユーザ指示実行手段６０は、コンテンツ検索用光センサ手段５６に対する操作が第１及び第２の操作態様であればそれぞれ第１及び第２のユーザ指示を実行する。
【００６０】
コンテンツ検索用光センサ手段５６及びコンテンツ検索用光センサ手段６７（図１３）における第１のユーザ指示、すなわち同一の検索系統内における検索階層間の項目選択用検索画面の切替に係るユーザ指示とは、例えば、図８における（ａ）→（ｂ），（ａ）→（ｃ），（ａ）→（ｄ），（ｂ）→（ｅ），（ｃ）→（ｅ），（ｄ）→（ｅ）及び図９における（ａ）→（ｂ），（ｂ）→（ｃ）である。
【００６１】
切替前の項目選択用検索画面の検索系統に関係なく所定の検索系統の所定の項目選択用検索画面へ切替えるユーザ指示とは、例えば図１０の各項目選択用検索画面へ切替えるユーザ指示である。また、図１０の各項目選択用検索画面へ切替えるユーザ指示は、例えば、図１０の４個の項目選択用検索画面の内の右端の項目選択用検索画面へ他の３個の項目選択用検索画面から切替えるユーザ指示である。ここでは、第２のユーザ指示とは、後者のユーザ指示とする。
【００６２】
コンテンツ検索用光センサ手段５６の一例は、上側光キー１６、右側光キー１７、下側光キー１８又は左側光キー１９である。コンテンツ検索用光センサ手段５６及び後述のコンテンツ検索用光センサ手段６７（図１３）に対するユーザ操作の操作態様は少なくとも２個、存在する。コンテンツ再生装置５５，６６（図１３）において、コンテンツを検索するための複数の検索系統とは例えばライブラリ管理の検索系統及びフォルダ管理の検索系統である。
【００６３】
第１及び第２の操作態様は、例えば光キー１６〜１９における光センサ４６，４７へのタッチにそれぞれ対応する。前述のハードディスク内蔵型ポータブル音楽再生装置１０では、光キー１６〜１９は、光センサ手段４５を採用しているが、前述したように、単一の光センサ３９しか有しない光センサ手段３８も、複数の操作態様を検出して、光センサ手段４５に代替させることができるので、コンテンツ再生装置５５，６６の一例には、光センサ手段４５を採用した光キー１６〜１９に限らず、光センサ手段３８を採用した光キー１６〜１９も含めることができる。
【００６４】
コンテンツ再生装置５５，６６において、操作態様とは、コンテンツ検索用光センサ手段の近傍において指を所定速度以上で移動させること、コンテンツ検索用光センサ手段の近傍において指を第１の方向へ所定速度以上で移動させること、コンテンツ検索用光センサ手段の近傍において指を第１の方向とは異なる第２の方向へ所定速度以上で移動させること、コンテンツ検索用光センサ手段のタッチにおいてそのタッチ時間を所定時間以上とさせること、コンテンツ検索用光センサ手段のタッチにおいてそのタッチ時間を所定時間未満とすること、又はコンテンツ検索用光センサ手段を構成するセンサ群の光センサの中の特定の１個を選択してタッチすることである。
【００６５】
典型的には、操作態様とは、光センサ手段４５において説明したように、コンテンツ検索用光センサ手段５６がそれぞれ複数の光センサを装備する場合には、ユーザが複数の光センサの内でどれかの光センサにタッチしたことである。この場合、１個の光センサ手段に対して、それが装備する光センサの個数だけ操作態様が割当て可能となる。さらに、光センサ手段３８について説明したように、１個の光センサしか有しない光センサ手段であっても、指の移動方向が第１の移動方向とか、第２の移動方向とか、移動速度が速いとか遅いとかにより、複数の操作態様の割当てが可能である。また、移動方向及び移動速度等の検出は、単一の光センサしか有しない光センサ手段だけでなく、複数の光センサを装備する光センサ手段でも検出することは可能であり、また、複数の光センサにより検出した方が精度が高まる。さらに、操作態様とは、光センサへのタッチ時間を所定時間以上とさせること及び所定時間未満とすることとしてもよい。
【００６６】
該コンテンツ再生装置５５によれば、コンテンツ検索用光センサ手段５６を第１の操作態様の他に、第２の操作態様でも操作自在とし、第２の操作態様の操作では、切替前の項目選択用検索画面の検索系統と異なる検索系統の所定の項目選択用検索画面へ切替わるようにした。これにより、ユーザは、検索系統を切替えるために、手間をかけて、トップ画面へ戻る必要がなくなる。また、検索系統切替用のコンテンツ検索用光センサ手段を別途、追加する必要を省略することができる。
【００６７】
コンテンツ再生装置５５の実施態様によれば、第２のユーザ指示検出手段５８は、コンテンツ検索用光センサ手段５６に割り当てられている第２のユーザ指示がフォルダ管理の項目選択用検索画面への切替に関するものである場合に、コンテンツ検索用光センサ手段５６に対する第２の操作態様の操作直前の項目選択用検索画面がライブラリ管理の項目選択用検索画面（例：図１０の上端、下端又は左端の項目選択用検索画面）であるときには、該第２のユーザ指示は、ライブラリ管理の項目選択用検索画面において選択されていた項目に属するフォルダ若しくはフォルダのファイルを選択する項目選択用検索画面（例：図１０の右端の項目選択用検索画面）へ切替えるユーザ指示として検出する。
【００６８】
図１３は別のコンテンツ再生装置６６のブロック図である。コンテンツ再生装置６６は、コンテンツ検索用光センサ手段６７、第１のユーザ指示検出手段６８、第３のユーザ指示検出手段６９、操作態様検出手段７０及びユーザ指示実行手段７１を有している。他のコンテンツ検索用光センサ手段７４及び第４のユーザ指示検出手段７５についてはコンテンツ再生装置６６の後述の具体的態様例において説明する。
【００６９】
コンテンツ検索用光センサ手段６７は、複数の操作態様による操作が可能となっている。コンテンツを検索するための複数の検索系統及び各検索系統の検索階層を定義する。第１のユーザ指示検出手段６８は、同一の検索系統内における検索階層間の項目選択用検索画面の切替に係るユーザ指示としてコンテンツ検索用光センサ手段６７に割り当てられている第１のユーザ指示を検出する。
【００７０】
コンテンツ検索用光センサ手段に割り当てられているユーザ指示であって該操作前の項目選択用検索画面の検索系統に関係なく選択された所定の検索系統の所定の項目選択用検索画面の複数を一群として該一群内で順番を定義する。第３のユーザ指示検出手段６９は、該順番に従い該一群内の各項目選択用検索画面へ切替える第３のユーザ指示を検出する。ユーザ指示実行手段７１は、コンテンツ検索用光センサ手段６７に対する操作が第１及び第２の操作態様であればそれぞれ第１及び第３のユーザ指示を実行する。
【００７１】
コンテンツ検索用光センサ手段６７の一例は、右側光キー１７又は下側光キー１８である。一群内の順番とは、例えば、図１１の各項目選択用検索画面を時計方向へ順番に進むものである。
【００７２】
該コンテンツ再生装置６６によれば、ユーザは、トップ階層の項目選択用検索画面へ戻ることなく、任意の階層において、コンテンツ検索用光センサ手段６７を第２の操作態様で操作することにより、異なる検索系統の所定の項目選択用検索画面へ迅速に移行することができる。
【００７３】
コンテンツ再生装置６６を具体的に説明する。コンテンツ再生装置６６は、他のコンテンツ検索用光センサ手段７４及び第４のユーザ指示検出手段７５を付加的に装備可能になっている。他のコンテンツ検索用光センサ手段７４は、コンテンツ検索用光センサ手段６７とは他のコンテンツ検索用光センサ手段としてコンテンツ再生装置６６に装備される。他のコンテンツ検索用光センサ手段７４の一例は、上側光キー１６及び左側光キー１９である。
【００７４】
前述の順番とは逆の順番を定義する。逆の順番とは、例えば、図１１において各項目選択用検索画面を反時計方向へ進む順番である。第４のユーザ指示検出手段７５は、他のコンテンツ検索用光センサ手段７４に割り当てられているユーザ指示であって、逆の順番に従い一群内の各項目選択用検索画面へ切替える第４のユーザ指示を検出する。操作態様検出手段７０は、他のコンテンツ検索用光センサ手段７４に対する操作の操作態様を検出する。ユーザ指示実行手段７１は、他のコンテンツ検索用光センサ手段７４に対するユーザ指示が第２の操作態様であれば、第４のユーザ指示を実行する。
【００７５】
こうして、コンテンツ検索用光センサ手段６７及び他のコンテンツ検索用光センサ手段７４を第２の操作態様によりそれぞれ操作することにより、一群内の各項目選択用検索画面を順方向及び逆方向へそれぞれ切替えることが可能になり、ユーザは、一群の所望の項目選択用検索画面を能率的に選択することができる。
【００７６】
コンテンツ検索用光センサ手段６７及び他のコンテンツ検索用光センサ手段７４のように、コンテンツ再生装置６６にコンテンツ検索用光センサ手段が複数、配備される場合、典型的には、各コンテンツ検索用光センサ手段は、他の光センサ手段の光センサの群と相互に区別できる一群の光センサから構成されている。センサ群同士を互いに区別できる光センサの配置として、例えば、群内の隣接光センサ同士の距離を、群間の隣接光センサ同士の距離より大とすることが挙げられる。これにより、各コンテンツ検索用光センサ手段に属する光センサは、ユーザにとり１個の操作キーのように把握され、１個の操作キーが複数の操作態様で操作されて、種々の指示を１個の操作キーで間に合わせるような感覚をユーザに強くもたせることができるとともに、１個のセンサ群をほぼ１個のキーに相当する配置スペースに収めて、配置スペースの低減を図ることができる。
【００７７】
図１４はコンテンツ再生装置用制御方法８０のフローチャートである。コンテンツ再生装置用制御方法８０はコンテンツ再生装置５５（図１２）に対応している。前述したように、コンテンツ再生装置５５は、複数の操作態様による操作が可能となっているコンテンツ検索用光センサ手段５６を装備する。コンテンツ再生装置用制御方法８０は、コンテンツ検索用光センサ手段５６に対するユーザ操作が検出されると、実行される。
【００７８】
Ｓ８１では、コンテンツ検索用光センサ手段５６に対する操作の操作態様を検出し、操作態様が第１及び第２の操作態様のいずれであるかを判定する。Ｓ８１において、コンテンツ検索用光センサ手段５６に対する操作が第１の操作態様と判定されれば、Ｓ８２へ進み、また、コンテンツ検索用光センサ手段５６に対する操作が第２の操作態様と判定されれば、Ｓ８３へ進む。
【００７９】
Ｓ８２では、第１のユーザ指示が実行される。第１のユーザ指示とは、同一の検索系統内における検索階層間の項目選択用検索画面の切替に係るユーザ指示としてコンテンツ検索用光センサ手段５６に割り当てられているユーザ指示である。
【００８０】
Ｓ８３では、第２のユーザ指示が実行される。第２のユーザ指示とは、切替前の項目選択用検索画面の検索系統と異なる検索系統の所定の項目選択用検索画面へ切替えるユーザ指示としてコンテンツ検索用光センサ手段５６に割り当てられているユーザ指示である。
【００８１】
コンテンツ再生装置用制御方法８０における第１及び第２のユーザ指示についてのさらなる具体的態様及び好ましい態様は、コンテンツ再生装置５５において説明したものと同一である。
【００８２】
図１５はコンテンツ再生装置用制御方法８８のフローチャートである。コンテンツ再生装置用制御方法８８はコンテンツ再生装置６６（図１３）に対応している。前述したように、コンテンツ再生装置６６は、複数個の操作態様による操作が可能となっているコンテンツ検索用光センサ手段６７を装備する。コンテンツ再生装置用制御方法８８は、コンテンツ検索用光センサ手段６７に対してユーザ操作があった時、実行される。
【００８３】
Ｓ８９では、コンテンツ検索用光センサ手段６７に対する操作の操作態様を検出して、操作態様が第１及び第２の操作態様のいずれであるかを判定する。Ｓ８９において、コンテンツ検索用光センサ手段６７に対する操作が第１の操作態様と判定されれば、Ｓ９０へ進み、また、コンテンツ検索用光センサ手段６７に対する操作が第２の操作態様と判定されれば、Ｓ９１へ進む。
【００８４】
Ｓ９０では、第１のユーザ指示が実行される。第１のユーザ指示とは。同一の検索系統内における検索階層間の項目選択用検索画面の切替に係るユーザ指示としてコンテンツ検索用光センサ手段６７に割り当てられているユーザ指示である。
【００８５】
Ｓ９１では、第３のユーザ指示が実行される。第３のユーザ指示とは、コンテンツ検索用光センサ手段６７に割り当てられているユーザ指示であって、該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替えるユーザ指示である。
【００８６】
コンテンツ再生装置用制御方法８８には、コンテンツ再生装置６６と同様に、他のコンテンツ検索用光センサ手段７４に対する制御を付加することができる。他のコンテンツ検索用光センサ手段７４に対するユーザ操作があると、該操作の操作態様を検出する。そして、該操作の操作態様が第２の操作態様であれば、第４のユーザ指示を実行する。第４のユーザ指示とは、Ｓ９１の順番とは逆の順番に従い一群内の各項目選択用検索画面へ切替えるユーザ指示である。
【００８７】
コンテンツ再生装置用制御方法８８における第１、第３及び第４のユーザ指示についてのさらなる具体的態様及び好ましい態様は、コンテンツ再生装置６６において説明したものと同一である。
【００８８】
本発明を適用したプログラムは、コンピュータをコンテンツ再生装置５５又はコンテンツ再生装置６６の各手段として機能させる。本発明を適用した別のプログラムは、コンテンツ再生装置用制御方法８０又はコンテンツ再生装置用制御方法８８の各ステップをコンピュータに実行させる。
【００８９】
図１６は楽曲検索装置１００のブロック図である。楽曲検索装置１００は、光センサ手段１０１、制御手段１０２、表示手段１０３及び検索モード切替制御手段１０４を備えている。
【００９０】
光センサ手段１０１は、複数の指示入力が可能となっている。制御手段１０２は、ライブラリ検索モードとフォルダ検索モードとを制御する。ライブラリ検索モードは、少なくともアーティスト名若しくはアルバム名の検索項目から再生する楽曲を検索する。フォルダ検索モードは、少なくとも、楽曲を１若しくは複数毎にまとめた下位フォルダと、下位フォルダを１若しくは複数毎にまとめた上位フォルダとから、再生する楽曲を検索する。
【００９１】
表示手段１０３は、ライブラリ検索モードと、フォルダ検索モードで検索された検索項目、フォルダ若しくは楽曲を表示する。検索モード切替制御手段１０４は、ライブラリ検索モードで検索項目若しくは楽曲を表示手段に表示中、光センサ手段への入力でフォルダ検索モードへの切替が指示されたとき、現在表示され選択された状態にある検索項目若しくは楽曲の属する上位のフォルダを、ユーザの指示により若しくは自動で表示する。
【００９２】
本発明を最良の形態について説明したが、本発明は、これに限定されず、要旨の範囲内で種々の形態により実施可能であることは言うまでもない。
【図面の簡単な説明】
【００９３】
【図１】ハードディスク内蔵型ポータブル音楽再生装置の前面図である。
【図２】ハードディスク内蔵型ポータブル音楽再生装置の概略構成図である。
【図３】単一の光センサを装備する光センサ手段の構成図である。
【図４】２個の光センサを装備する光センサ手段の構成図である。
【図５】各光キーの各光センサとそれらに対して割り当てたユーザ指示との関係を示す図である。
【００９４】
【図６】ハードディスク内蔵型ポータブル音楽再生装置のＨＤＤにおける楽曲ファイルの管理構造を例示す図である。
【図７】各ファイルについてのタグ情報を例示す図である。
【図８】ライブラリ管理における各項目選択用検索画面を例示す図である。
【図９】フォルダ管理における各項目選択用検索画面を例示す図である。
【図１０】カラーＬＣＤにおける各項目選択用検索画面と各項目選択用検索画面へ各外側光センサ４７のタッチにより切替える光キーとの関係を示す図である。
【００９５】
【図１１】ライブラリ管理及びフォルダ管理の各項目選択用検索画面をサイクリックに切替える説明図である。
【図１２】コンテンツ再生装置のブロック図である。
【図１３】別のコンテンツ再生装置のブロック図である。
【図１４】コンテンツ再生装置用制御方法のフローチャートである。
【図１５】別のコンテンツ再生装置用制御方法のフローチャートである。
【図１６】楽曲検索装置のブロック図である。
【符号の説明】
【００９６】
５５：コンテンツ再生装置、５６：コンテンツ検索用光センサ手段、５７：第１のユーザ指示検出手段、５８：第２のユーザ指示検出手段、５９：操作態様検出手段、６０：ユーザ指示実行手段、６６：コンテンツ再生装置、６７：コンテンツ検索用光センサ手段、６８：第１のユーザ指示検出手段、６９：第３のユーザ指示検出手段、７０：操作態様検出手段、７１：ユーザ指示実行手段、７４：他のコンテンツ検索用光センサ手段、７５：第４のユーザ指示検出手段、８０：コンテンツ再生装置用制御方法、８８：コンテンツ再生装置用制御方法。
【図１】
2007115012.tif 000003
【図２】
2007115012.tif 000004
【図３】
2007115012.tif 000005
【図４】
2007115012.tif 000006
【図５】
2007115012.tif 000007
【図６】
2007115012.tif 000008
【図７】
2007115012.tif 000009
【図８】
2007115012.tif 000010
【図９】
2007115012.tif 000011
【図１０】
2007115012.tif 000012
【図１１】
2007115012.tif 000013
【図１２】
2007115012.tif 000014
【図１３】
2007115012.tif 000015
【図１４】
2007115012.tif 000016
【図１５】
2007115012.tif 000017
【図１６】
2007115012.tif 000018
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
複数の操作態様による操作が可能となっている光センサ手段、
コンテンツを検索するための複数の検索系統及び各検索系統の検索階層が定義され、同一の検索系統内における検索階層間の項目選択用検索画面の切替に係るユーザ指示として前記光センサ手段に割り当てられている第１のユーザ指示を検出する第１のユーザ指示検出手段、
切替前の項目選択用検索画面の検索系統と異なる検索系統の所定の項目選択用検索画面へ切替えるユーザ指示として前記光センサ手段に割り当てられている第２のユーザ指示を検出する第２のユーザ指示検出手段、
前記光センサ手段に対する操作の操作態様を検出する操作態様検出手段、及び
前記光センサ手段に対する操作が第１及び第２の操作態様であればそれぞれ第１及び第２のユーザ指示を実行するユーザ指示実行手段、
を有していることを特徴とするコンテンツ再生装置。
【請求項２】
前記光センサ手段に割り当てられている第２のユーザ指示がフォルダ管理の項目選択用検索画面への切替に関するものである場合に、前記光センサ手段に対する第２の操作態様の操作直前の項目選択用検索画面がライブラリ管理の項目選択用検索画面であるときには、該第２のユーザ指示は、ライブラリ管理の項目選択用検索画面において選択されていた項目に属するフォルダ若しくはフォルダのファイルを選択する項目選択用検索画面へ切替えるユーザ指示として検出する前記第２のユーザ指示検出手段、
を有していることを特徴とする請求項１記載のコンテンツ再生装置。
【請求項３】
複数の操作態様による操作が可能となっている光センサ手段、
コンテンツを検索するための複数の検索系統及び各検索系統の検索階層が定義され、同一の検索系統内における検索階層間の項目選択用検索画面の切替に係るユーザ指示として前記光センサ手段に割り当てられている第１のユーザ指示を検出する第１のユーザ指示検出手段、
前記光センサ手段に割り当てられているユーザ指示であって該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替える第３のユーザ指示を検出する第３のユーザ指示検出手段、及び
前記光センサ手段に対する操作が第１及び第２の操作態様であればそれぞれ第１及び第３のユーザ指示を実行するユーザ指示実行手段、
を有していることを特徴とするコンテンツ再生装置。
【請求項４】
前記光センサ手段とは異なる他の光センサ手段、
前記他の光センサ手段に割り当てられているユーザ指示であって前記順番とは逆の順番に従い前記一群内の各項目選択用検索画面へ切替える第４のユーザ指示を検出する第４のユーザ指示検出手段、
前記他の光センサ手段に対する操作の操作態様を検出する前記操作態様検出手段、及び
前記他の光センサ手段に対するユーザ指示が第２の操作態様であれば第４のユーザ指示を実行する前記ユーザ指示実行手段、
を有していることを特徴とする請求項３記載のコンテンツ再生装置。
【請求項５】
各光センサ手段は、他の光センサ手段の光センサのセンサ群と相互に区別できるセンサ群の光センサから構成されていることを特徴とする請求項１〜４記載のコンテンツ再生装置。
【請求項６】
前記操作態様とは、光センサ手段の近傍において指を所定速度以上で移動させること、光センサ手段の近傍において指を第１の方向へ所定速度以上で移動させること、光センサ手段の近傍において指を第１の方向とは異なる第２の方向へ所定速度以上で移動させること、光センサ手段のタッチにおいてそのタッチ時間を所定時間以上とさせること、光センサ手段のタッチにおいてそのタッチ時間を所定時間未満とすること、又は光センサ手段を構成するセンサ群の光センサの中の特定の１個を選択してタッチすることであることを特徴とする請求項１〜５のいずれかに記載のコンテンツ再生装置。
【請求項７】
複数の操作態様による操作が可能となっている光センサ手段を装備するコンテンツ再生装置の制御方法であって、
前記光センサ手段に対する操作の操作態様を検出するステップ、
前記光センサ手段に対する操作が第１の操作態様であれば、同一の検索系統内における検索階層間の項目選択用検索画面の切替に係るユーザ指示として前記光センサ手段に割り当てられている第１のユーザ指示を実行するステップ、及び
前記光センサ手段に対する操作が第２の操作態様であれば、切替前の項目選択用検索画面の検索系統と異なる検索系統の所定の項目選択用検索画面へ切替えるユーザ指示として前記光センサ手段に割り当てられている第２のユーザ指示を実行するステップ、
を有していることを特徴とするコンテンツ再生装置用制御方法。
【請求項８】
複数の操作態様による操作が可能となっている光センサ手段を装備するコンテンツ再生装置において、
前記光センサ手段に対する操作の操作態様を検出するステップ、
前記光センサ手段に対する操作が第１の操作態様であれば、同一の検索系統内における検索階層間の項目選択用検索画面の切替に係るユーザ指示として前記光センサ手段に割り当てられている第１のユーザ指示を実行するステップ、及び
前記光センサ手段に対する操作が第２の操作態様であれば、前記光センサ手段に割り当てられているユーザ指示であって該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替える第３のユーザ指示を実行するステップ、
を有していることを特徴とするコンテンツ再生装置用制御方法。
【請求項９】
請求項１〜６のいずれかに記載のコンテンツ再生装置の各手段としてコンピュータを機能させるためのプログラム。
【請求項１０】
複数の指示入力が可能な光センサ手段と、
少なくともアーティスト名若しくはアルバム名の検索項目から再生する楽曲を検索するライブラリ検索モードと、少なくとも、楽曲を１若しくは複数毎にまとめた下位フォルダと、前記下位フォルダを１若しくは複数毎にまとめた上位フォルダとから、再生する楽曲を検索するフォルダ検索モードと、を制御する制御手段と、
前記ライブラリ検索モードと、前記フォルダ検索モードで検索された検索項目、フォルダ若しくは楽曲を表示する表示手段と、
ライブラリ検索モードで検索項目若しくは楽曲を前記表示手段に表示中、前記光センサ手段への入力で前記フォルダ検索モードへの切替が指示されたとき、現在表示され選択された状態にある検索項目若しくは楽曲の属する上位のフォルダを、ユーザの指示により若しくは自動で表示する検索モード切替制御手段と、
を備えることを特徴とする楽曲検索装置。
【手続補正２】
【補正対象書類名】明細書
【補正対象項目名】００１５
【補正方法】変更
【補正の内容】
【００１５】
本発明のコンテンツ再生装置は次のものを有している。
複数の操作態様による操作が可能となっている光センサ手段、
コンテンツを検索するための複数の検索系統及び各検索系統の検索階層が定義され、同一の検索系統内における検索階層間の項目選択用検索画面の切替に係るユーザ指示として光センサ手段に割り当てられている第１のユーザ指示を検出する第１のユーザ指示検出手段、
切替前の項目選択用検索画面の検索系統と異なる検索系統の所定の項目選択用検索画面へ切替えるユーザ指示として光センサ手段に割り当てられている第２のユーザ指示を検出する第２のユーザ指示検出手段、
光センサ手段に対する操作の操作態様を検出する操作態様検出手段、及び
光センサ手段に対する操作が第１及び第２の操作態様であればそれぞれ第１及び第２のユーザ指示を実行するユーザ指示実行手段。
【手続補正３】
【補正対象書類名】明細書
【補正対象項目名】００１６
【補正方法】変更
【補正の内容】
【００１６】
本発明の他のコンテンツ再生装置は次のものを有している。
複数の操作態様による操作が可能となっている光センサ手段、
コンテンツを検索するための複数の検索系統及び各検索系統の検索階層が定義され、同一の検索系統内における検索階層間の項目選択用検索画面の切替に係るユーザ指示として光センサ手段に割り当てられている第１のユーザ指示を検出する第１のユーザ指示検出手段、
光センサ手段に割り当てられているユーザ指示であって該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替える第３のユーザ指示を検出する第３のユーザ指示検出手段、及び
光センサ手段に対する操作が第１及び第２の操作態様であればそれぞれ第１及び第３のユーザ指示を実行するユーザ指示実行手段。
【手続補正４】
【補正対象書類名】明細書
【補正対象項目名】００１７
【補正方法】変更
【補正の内容】
【００１７】
本発明の制御方法が適用されるコンテンツ再生装置は、複数の操作態様による操作が可能となっている光センサ手段を装備する。該制御方法は次のステップを有している。
光センサ手段に対する操作の操作態様を検出するステップ、
光センサ手段に対する操作が第１の操作態様であれば、同一の検索系統内における検索階層間の項目選択用検索画面の切替に係るユーザ指示として光センサ手段に割り当てられている第１のユーザ指示を実行するステップ、及び
光センサ手段に対する操作が第２の操作態様であれば、切替前の項目選択用検索画面の検索系統と異なる検索系統の所定の項目選択用検索画面へ切替えるユーザ指示として光センサ手段に割り当てられている第２のユーザ指示を実行するステップ。
【手続補正５】
【補正対象書類名】明細書
【補正対象項目名】００１８
【補正方法】変更
【補正の内容】
【００１８】
本発明の他の制御方法が適用されるコンテンツ再生装置は、複数の操作態様による操作が可能となっている光センサ手段を装備する。該別の制御方法は次のステップを有している。
光センサ手段に対する操作の操作態様を検出するステップ、
光センサ手段に対する操作が第１の操作態様であれば、同一の検索系統内における検索階層間の項目選択用検索画面の切替に係るユーザ指示として光センサ手段に割り当てられている第１のユーザ指示を実行するステップ、及び
光センサ手段に対する操作が第２の操作態様であれば、光センサ手段に割り当てられているユーザ指示であって該操作前の項目選択用検索画面の検索系統に関係なく選択された所定の検索系統の所定の項目選択用検索画面の複数を一群として該一群内で順番が定義され、該順番に従い該一群内の各項目選択用検索画面へ切替える第３のユーザ指示を実行するステップ。
【手続補正６】
【補正対象書類名】明細書
【補正対象項目名】００２１
【補正方法】変更
【補正の内容】
【００２１】
本発明によれば、検索系統間の項目選択用検索画面切替を迅速に行うことができる。また、操作部としての光センサ手段の配置スペースが節約される。